(57)【要約】【課題】滑り防止及び手触り感覚に優れて耐久性があり、凹凸パターンのデザイン変更を容易に行うことができる手摺カバーを提供する。【解決手段】  手摺１００の外周面に着脱可能に装着される手摺カバー１０であって、手摺１００の外周面に対する摩擦力が大きい内面１１ｂを有し、手摺１００の周方向に伸縮自在なシート状のカバー本体１１と、このカバー本体１１の両側縁部に設けられ、手摺１００への装着時に両側縁部同士を接合する接合手段１２と、を備え、カバー本体１０の外面１１ａには、滑り止めパターン２０が転写印刷されている。【選択図】図２
2015163749.tif 000002
【特許請求の範囲】
【請求項１】
手摺の外周面に着脱可能に装着される断熱性を有する手摺カバーであって、
前記手摺の外周面に対する摩擦力が大きい内面を有し、前記手摺の周方向に伸縮自在なシート状のカバー本体と、
このカバー本体の両側縁部に設けられ、前記手摺への装着時に前記両側縁部同士を接合する接合手段と、を備え、
前記カバー本体の外面には、滑り止めパターンが転写印刷されたことを特徴とする手摺カバー。
【請求項２】
請求項１に記載の手摺カバーであって、
前記カバー本体と前記手摺との間に配置され、前記カバー本体とともに前記手摺に装着される介装部材が、備えられており、
前記手摺への装着時に、前記介装部材により前記カバー本体の外面に凹凸が形成されることを特徴とする手摺カバー。
【請求項３】
手摺の外周面に着脱可能に装着される手摺カバーであって、
前記手摺の外周面に対する摩擦力が大きい内面を有し、前記手摺の周方向に伸縮自在なシート状のカバー本体と、
このカバー本体の両側縁部に設けられ、前記手摺への装着時に前記両側縁部同士を接合する接合手段と、
前記カバー本体と前記手摺との間に配置され、前記カバー本体とともに前記手摺に装着される介装部材と、を備え、
前記手摺への装着時に、前記介装部材により前記カバー本体の外面に凹凸が形成されることを特徴とする手摺カバー。
【請求項４】
請求項２又は３に記載の手摺カバーであって、
前記介装部材は、前記カバー本体の内面に接着されていることを特徴とする手摺カバー。
【請求項５】
請求項２〜４のいずれか１項に記載の手摺カバーであって、
前記介装部材は、前記カバー本体の内面と同じ素材からなることを特徴とする手摺カバー。
【請求項６】
請求項２〜５のいずれか１項に記載の手摺カバーであって、
前記介装部材には、
前記手摺の長手方向に沿う縦桟部と、
前記縦桟部に沿って並設された複数の横桟部と、
が備えられていることを特徴とする手摺カバー。
【請求項７】
請求項１〜６に記載の手摺カバーであって、
前記接合手段は、ファスナー、面ファスナー、又はボタンのうちのいずれか１つ、又は複数であることを特徴とする手摺カバー。
【請求項８】
請求項１〜７のいずれか１項に記載の手摺カバーであって、
前記カバー本体の内面は発泡素材からなり、外面はポリエステル又はナイロンのいずれか一方又は両方からなることを特徴とする手摺カバー。
【発明の詳細な説明】
【技術分野】
【０００１】
手摺の外周面に着脱可能に装着される手摺カバーに関する。
【背景技術】
【０００２】
例えば高齢者などが日常生活において自力で立ち上がる際、あるいはリハビリテーションなどを行う際、バランスを保つように補助可能とするとともに、足腰の負担を軽減可能とするために、手摺が用いられている。
【０００３】
上記手摺は、不特定多数の人が直接触れるものであるので、衛生面の注意を払う必要がある。また、手摺が金属製である場合は手摺表面が比較的滑りやすくなるため、手摺を掴み損ねて転倒する虞がある。また、金属的な冷たい感触を伝えるため手触りが悪いものである。
【０００４】
上述した課題を解決するため、特許文献１には、手摺に取り付けられる手摺カバーが開示されている。この手摺カバーは、金属製手摺の外周に着脱自在に巻着して使用されるものであって、柔軟性を有する板状体からなるとともにその表裏面が滑り止め機能を有するカバー本体と、このカバー本体の巻着方向側端縁に設けられてカバー本体を上記手摺の外周に取外し可能に巻着固定する固定具と、を備えている。
【０００５】
この滑り止め機能は、カバー本体を、表裏シート及びこれら両者間に介装された中芯シートが重合されてなる薄板状の三層積層構造とし、表裏シートには、柔軟性に富みかつ摩擦係数の大きなシート材を採用することが開示されている。さらに、表裏シートの表面は、いずれも起毛処理が施されて、微細な凹凸からなる滑り止め面が形成されていることが開示されている（特許文献１の段落［００１８］〜［００２０］参照）。
【０００６】
ところで、他の滑り止め機能を有する手摺として、特許文献２及び特許文献３が開示されている。特許文献２に開示された滑り止め付手摺は、内部の長手方向に合成樹脂製又は金属製よりなる中空部材を有し、該中空部材には外周の一部分の長手方向に合成樹脂よりなる厚肉突出部と薄肉突出部を以て連続した波型状を形成し、該中空部材及び厚肉突出部と薄肉突出部との外周全体に均一な被膜層を被着して、該厚肉突出部と該薄肉突出部との上部に突段部と凹段部とを交互に形成したものである。
【０００７】
さらに、特許文献２には、上記滑り止め手摺の製造方法の一実施形態として、水平方向より中空部材を金型ダイスの内部を通過中に、第１押し出し成形機よりの金型ダイスの下方からの可変駆動装置の昇降杆の金型の昇降作用によって、中空部材の長手方向の一部分に厚肉突出部と薄肉突出部とを交互に波状に連続的に形成し、その後、第２押し出し成形機よりの金型ダイスより合成樹脂を以て、該中空部材の部分と厚肉突出部と薄肉突出部の全外周が均一になるように被膜層を被着することによって、滑り止め手摺を製造する製造方法が開示されている（特許文献２の段落［０００５］参照）。
【０００８】
また、特許文献３に開示された合成樹脂製手摺は、断面形状が真円の金属管の外壁に合成樹脂が均一に被覆された長尺体の表面の長さ方向に沿って、所定間隔をおき多数の凸部が一列乃至複数列状に突設されて凹凸が形成されたものである（特許文献３の段落［０００４］参照）。
【先行技術文献】
【特許文献】
【０００９】
【特許文献１】特開平８−１２０８６８号公報
【特許文献２】特許第２８９６７５６号公報
【特許文献３】特許第２７７４４６３号公報
【発明の概要】
【発明が解決しようとする課題】
【００１０】
特許文献１の手摺カバーによれば、手摺カバーを手摺から取り外して、手摺カバーを丸洗いすることができるので衛生的に良い。また、手摺カバーと手摺との間及び手摺カバーと使用者の手との間の滑りが有効に防止できる。さらに、表裏シートの表面に微細な凹凸からなる滑り止め面が形成されることにより、滑り止め効果を高めることができる。しかし、特許文献１の手摺カバーでは滑り止め面を起毛処理により微細な凹凸を形成しているので、手摺を使用するうちに起毛の毛羽立ちが悪くなり、滑り止め効果が低下する問題が生じていた。
【００１１】
上記課題を解決するため、例えば、特許文献２及び特許文献３に開示された滑り止め付手摺とすることが考えられる。しかしながら、特許文献２に開示されている滑り止め手摺の製造方法は、中空部材に対して可変駆動装置の昇降杆を昇降させて厚肉突出部と薄肉突出部とを形成する製造設備を必要としており、大がかりなものであるため、容易に製造することができないものであった。さらに、手摺のバリエーションとして、手摺の外径を変更した滑り止め手摺を製造する場合は、その手摺の外径に合った新たな金型ダイスの製作が必要となるため、製造コストが嵩むものであった。
【００１２】
また、特許文献３に開示された合成樹脂製手摺の製造には、長尺体の表面に多数の凹凸を形成する金型が必要とされていた。よって、凹凸パターンのデザイン変更は、新たな金型の作成を要するので容易に行うことはできなかった。
【００１３】
本発明は、かかる点に鑑みてなされたものであり、その目的とするところは、滑り防止及び手触り感覚に優れているとともに耐久性があり、凹凸パターンのデザイン変更を容易に行うことができる手摺カバーを提供することにある。
【課題を解決するための手段】
【００１４】
上記目的を達するために、本発明は次のとおりの構成としている。
【００１５】
本発明に係る手摺カバーは、手摺の外周面に着脱可能に装着される断熱性を有する手摺カバーであって、前記手摺の外周面に対する摩擦力が大きい内面を有し、前記手摺の周方向に伸縮自在なシート状のカバー本体と、このカバー本体の両側縁部に設けられ、前記手摺への装着時に前記両側縁部同士を接合する接合手段と、を備え、前記カバー本体の外面には、滑り止めパターンが転写印刷されたことを特徴とする。
【００１６】
このような構成によれば、手摺カバー自体が断熱性を有するものであるから、手摺が金属製であってもその冷たい感触が使用者の手に伝わることがなく、手触りがよい。また、カバー本体の外面には滑り止めパターンが転写印刷されているので、従来技術の起毛による凹凸と異なり、劣化が生じることなく耐久性を持たせることができる。さらに、転写パターンを変更するだけで容易に滑り止めパターンの変更を行うことができる。また、手摺カバーの内面は、手摺の外周面に対する摩擦力が大きく、しかもその摩擦力は、カバー本体が伸縮自在なシート状のものであることにより増強されるため、当該摩擦力によって確実に手摺カバーと手摺とを固定することができる。また、カバー本体が手摺の周方向に伸縮自在であるため、手摺の外径に合わせてカバー本体を伸縮させることによって、外径が異なる他の手摺にも取り付けることができる。
【００１７】
上記の手摺カバーであって、前記カバー本体と前記手摺との間に配置され、前記カバー本体とともに前記手摺に装着される介装部材が、備えられており、前記手摺への装着時に、前記介装部材により前記カバー本体の外面に凹凸が形成される構成とする。
【００１８】
このような構成であるから、カバー本体の外面に転写印刷された滑り止めパターンに加えて、さらに介装部材が設けられているので、介装部材の厚み分の凹凸を形成することができ、従来技術の起毛による凹凸度よりもさらに凹凸度合いの大きい手摺カバーとすることができる。よって、手摺と使用者の手との間の滑りをさらに防止することができる。
【００１９】
また、本発明に係る手摺カバーは、手摺の外周面に着脱可能に装着される手摺カバーであって、前記手摺の外周面に対する摩擦力が大きい内面を有し、前記手摺の周方向に伸縮自在なシート状のカバー本体と、このカバー本体の両側縁部に設けられ、前記手摺への装着時に前記両側縁部同士を接合する接合手段と、前記カバー本体と前記手摺との間に配置され、前記カバー本体とともに前記手摺に装着される介装部材と、を備え、前記手摺への装着時に、前記介装部材により前記カバー本体の外面に凹凸が形成されることを特徴とする。
【００２０】
このような構成であるから、カバー本体の内面に介装部材を設けることによって、従来技術よりも容易に手摺カバーの外面に凹凸を形成することができる。また、介装部材の厚みを厚くすることで、手摺カバーの外面の凹凸度合いを大きくすることができるので、従来技術よりも簡単に凹凸度合い変更できる。また、手摺カバーの内面は、手摺の外周面に対する摩擦力が大きいため、当該摩擦力によって確実に手摺カバーと手摺とを固定することができる。また、カバー本体が手摺の周方向に伸縮自在であるため、手摺の外径に合わせてカバー本体を伸縮させることによって、外径が異なる複数の手摺に取り付けることができる。
【００２１】
上記の手摺カバーであって、前記介装部材は、前記カバー本体の内面に接着されている構成とする。
【００２２】
このような構成であるから、介装部材がカバー本体の内面に一体として接着されているので、個別に介装部材のみを手摺に取り付ける必要がなく、カバー本体及び介装部材を手摺に容易に装着することができる。
【００２３】
上記の手摺カバーであって、前記介装部材は、前記カバー本体の内面と同じ素材からなる構成とする。
【００２４】
このような構成であるから、カバー本体の内面と介装部材とを馴染みやすくすることができる。
【００２５】
上記の手摺カバーであって、前記介装部材には、前記手摺の長手方向に沿う縦桟部と、前記縦桟部に沿って並設された複数の横桟部と、が備えられている構成とする。
【００２６】
このような構成であるから、介装部材には、横桟部が縦桟部の長さ方向に沿って複数併設されているので、カバー本体とともに介装部材を手摺に装着すると、介装部材の横桟部の厚みによって確実にカバー本体の外面に凹凸を形成することができる。
【００２７】
上記の手摺カバーであって、前記接合手段は、ファスナー、面ファスナー、又はボタンのうちのいずれか１つ、又は複数である構成とする。
【００２８】
このような構成であるから、ファスナー、面ファスナー、又はボタンによってカバー本体の両側縁部同士を接合することができるので、手摺への装着が容易である。
【００２９】
上記の手摺カバーであって、前記カバー本体の内面は発泡素材からなり、外面はポリエステル又はナイロンのいずれか一方又は両方からなる構成とする。
【００３０】
このような構成であるから、カバー本体の内面が発泡素材とすることで、カバー本体の内面と手摺の外周面との間の摩擦力を高めることができる。さらに、カバー本体の外面がポリエステル又はナイロンを含むため、手摺と使用者の手との間の滑りを有効に防止することができる。さらに、カバー本体の内面及び外面に上記の材料を採用することで、手摺カバーの断熱性・保温性・耐水性・耐候性が高まるので、手摺が金属製であっても金属的な冷たい感触を使用者に与えることはなく、丈夫な手摺カバーとすることができる。
【発明の効果】
【００３１】
本発明によれば、滑り防止及び手触り感覚に優れて耐久性があり、凹凸パターンのデザイン変更を容易に行うことができる手摺カバーを提供できる。
【図面の簡単な説明】
【００３２】
【図１Ａ】図１Ａは、本発明の第１実施形態に係るカバー本体の正面図である。
【図１Ｂ】図１Ｂは、本発明の第１実施形態に係るカバー本体の背面図である。
【図１Ｃ】図１Ｃは、図１Ａに示すI−I線に沿う断面図である
【図２】図２は、本発明の第１実施形態に係る手摺カバーを手摺に取り付けた状態を説明する一部断面図である。
【図３Ａ】図３Ａは、本発明の第２実施形態に係る介装部材の正面図である。
【図３Ｂ】図３Ｂは、図３Ａに示すIII−III線に沿う断面図である。
【図４】図４は、本発明の第２実施形態に係る手摺カバーを手摺に取り付けた状態を説明する一部断面図である。
【図５Ａ】図５Ａは、本発明の第３実施形態に係るカバー本体の背面図である。
【図５Ｂ】図５Ｂは、図５Ａに示すV−V線に沿う断面図である
【図６】図６は、本発明の第３実施形態に係る手摺カバーを手摺に取り付けた状態を説明する一部断面図である。
【図７】図７は、本発明のカバー本体の変形例を示す背面図である。
【図８】図８は、本発明に係る手摺カバーが取り付けられた手摺の斜視図である。
【発明を実施するための形態】
【００３３】
まず、本発明に係る手摺カバーが装着される手摺について、図８を参照しながら説明する。図８は、本発明に係る手摺カバーが取り付けられた手摺の斜視図である。
−手摺の説明−
本発明に係る手摺１００は、室内において床面Ｆと天井Ｒとの間に突っ張った状態で設置固定される手摺１００であって、ベース部材１１０と、手摺本体１２０と、天井当接部材１３０と、を備えている（図８参照）。
【００３４】
ベース部材１１０は、金属板の外面をポリ塩化ビニルで被覆してなる略長方形状の平板である。なお、ベース部材１１０の材質は、手摺本体１２０を支持する強度を有していれば、これに限られるものではない。
【００３５】
ベース部材１１０の上面には、手摺本体１２０を嵌合させて支持する嵌合支持筒１１１が備えられている。嵌合支持筒１１１にはその上下方向に複数箇所に亘ってネジ穴（不図示）が設けられており、これらのネジ穴（不図示）を介して手摺本体１２０がネジ止めされる。
【００３６】
手摺本体１２０は、棒状の縦手摺部１２１と、この縦手摺部１２１から横方向に延設された３つの横手摺部１２２と、手摺本体１２０を床面Ｆと天井Ｒとの間に突っ張った状態に伸縮させるための伸縮機構１３１と、が備えられている。
【００３７】
天井当接部材１３０は、前述した伸縮機構１３１により床面Ｆと天井Ｒとの間で突っ張った状態とした手摺本体１２０の上端に取り付けられるものである。
【００３８】
以上説明した手摺１００に、本発明の手摺カバー１０が取り付けられるが、上記手摺１００は、本発明の手摺カバー１０が取り付けられる手摺１００の一例にすぎず、本発明の手摺カバー１０は、どのような手摺にでも取り付けることができるものである。
【００３９】
以下、本発明に係る手摺カバー１０について、３つの実施形態を説明する。
【００４０】
［第１実施形態］
本実施形態の手摺カバーについて図１Ａから図２を参照しながら説明する。先に本実施形態の手摺カバーを説明し、その後に手摺カバーを手摺に取り付ける取付手順の説明を行う。
【００４１】
図１Ａは、第１実施形態のカバー本体の正面図、図１Ｂは、第１実施形態のカバー本体の背面図、図１Ｃは、図１Ａに示すI−I線に沿う断面図、図２は、第１実施形態に係る手摺カバーを手摺に取り付けた状態を説明する一部断面図である。
【００４２】
−手摺カバーの説明−
本実施形態に係る手摺カバー１０は、手摺１００の外周面に着脱可能に装着される手摺カバー１０であって、カバー本体１１と、接合手段１２と、を備えたものである。
【００４３】
カバー本体１１は、矩形のシートであって長辺の長さが手摺１００を覆う程度の長さとし、短辺の長さを手摺１００の外径と同程度の長さとしたものである。さらに、カバー本体１１は、短辺方向（手摺１００の周方向）に伸縮自在とされている。カバー本体１１は、２層構造としており、カバー本体１１の内面１１ｂと、カバー本体１１の外面１１ａは、異なる素材とされている（図１Ｃ参照）。なお、カバー本体１１は単層構造、又は２層以上の構造であってもよいし、カバー本体１１の内面１１ｂとカバー本体１１の外面１１ａとが同じ素材であってもよい。
【００４４】
カバー本体１１の内面１１ｂは、手摺１００の外周面に対する摩擦力が大きい素材である発泡素材とされており、本実施形態では、クロロプレーン発泡材が採用されている。なお、発泡素材はクロロプレーン発泡材に限られるものではなく、ＥＰＤＭ等の合成ゴムとしてもよい。
【００４５】
カバー本体１１の外面１１ａは、ポリエステル又はナイロンのいずれか一方又は両方からなり、複数の滑り止めパターン２０が転写印刷されて凹凸が形成されている。この転写印刷には、プリンタック、熱転写等の公知な方法で施されている。また、滑り止めパターン２０はカバー本体１１の外面１１ａに使われる素材よりも摩擦力が大きいポリ塩化ビニル素材等であることが好ましいが、カバー本体１１の外面１１ａの素材と同じ素材であってもよい。なお、本実施形態では、滑り止めパターン２０がカバー本体の外面１１ａに襷状に形成されているが、一例にすぎず、任意の形態とすることができる。
【００４６】
接合手段１２は、手摺１００への装着時に両側縁部同士を接合するものである。本実施形態の接合手段１２は、ファスナーが採用されている（図１Ａ〜図１Ｃ参照）。ファスナー１２は、ポリエステルのジッパーを採用するとともに黄銅のスライダーを採用することで、耐久性を高めている。
【００４７】
−手摺カバーを手摺に取り付ける取付手順の説明−
以下、前述した手摺１００に、本実施形態の手摺カバー１０を取り付ける取付手順を説明する。本説明では、手摺本体１２０の縦手摺部１２１に本発明の手摺カバー１０を取り付ける取付手順を説明する。なお、手摺本体１２０の横手摺部１２２に、本発明の手摺カバー１０を取り付けることも可能である。横手摺部１２２への取付手順は、縦手摺部１２１への取付手順と同様であるので、説明を省略する。
【００４８】
まず、縦手摺部１２１にカバー本体１１を巻き付ける。ここで、カバー本体１１は、手摺１００の周方向に伸縮自在とされているので、手摺１００の外径に合わせてカバー本体１１を伸展させてから、カバー本体１１を手摺１００に巻き付けることも可能である。
【００４９】
次に、カバー本体１１の両側縁に設けられたファスナー１２によって、カバー本体１１の両側縁部同士を接合する。ファスナー１２のスライダーの移動により、カバー本体１１の両側縁部が徐々に接合されていき、カバー本体１１の内面１１ｂと縦手摺部１２１とが当接される。
【００５０】
以上説明したとおり、本発明に係る手摺カバー１０は、カバー本体１１の外面１１ａには滑り止めパターン２０が転写印刷されているので、従来技術の起毛による凹凸と異なり、劣化が生じることなく耐久性を持たせることができる。さらに、転写印刷のパターンを変更するだけで容易に滑り止めパターン２０の変更を行うことができる。また、手摺カバー１０の内面１１ｂは、手摺１００の外周面に対する摩擦力が大きく、しかもその摩擦力は、カバー本体１１が伸縮自在なシート状のものであることにより増強されるため、当該摩擦力によって確実に手摺カバー１０と手摺１００とを固定することができる。また、カバー本体１１が手摺１００の周方向に伸縮自在であるため、手摺１００の外径に合わせてカバー本体１１を伸縮させることによって、外径が異なる他の手摺にも取り付けることができる。
【００５１】
また、カバー本体１１の内面が発泡素材であるため、カバー本体１１の内面と手摺１００の外周面との間の摩擦力を高めることができるとともに、カバー本体１１の外面１１ａはポリエステル又はナイロンを含むため、手摺１００と使用者の手との間の滑りを有効に防止することができる。さらに、カバー本体１１の外面１１ａをポリエステル又はナイロンとし、内面１１ｂを発泡素材とすることで、手摺カバー１０の断熱性・保温性・耐水性・耐候性が高まるので、手摺１００が金属製であっても金属的な冷たい感触を使用者に与えることはなく、丈夫な手摺カバーとすることができる。さらに、本発明の手摺カバー１０は脱着自在であるため、手摺カバー１０を手摺１００から取り外して、手摺カバー１０を丸洗いすることができるので衛生的に良いものである。
【００５２】
［第２実施形態］
次に本発明に係る手摺カバーの他の実施形態について図３Ａから図４を参照しながら説明する。なお、本実施形態は、上記第１実施形態のものに介装部材をさらに設けた点が異なるだけであるから、以下、その相違点についてのみ説明し、同一の構成要素については、同一符号を付してその説明を省略する。
【００５３】
図３Ａは、第２実施形態に係る介装部材の正面図、図３Ｂは、図３Ａに示すIII−III線に沿う断面図、図４は、第２実施形態に係る手摺カバーを手摺に取り付けた状態を説明する一部断面図である。
【００５４】
−手摺カバーの説明−
本実施形態に係る手摺カバー１０は、手摺１００の外周面に着脱可能に装着される手摺カバー１０であって、カバー本体１１と、接合手段１２と、介装部材３０と、を備えたものである。
【００５５】
介装部材３０は、装着される手摺１００の長手方向に沿う縦桟部３１と、縦桟部３１に並設された複数の横桟部３２と、が備えられている（図３Ａ及び図３Ｂ参照）。本実施形態の図示例では、梯子状としているが、この形態に限られず縦桟部３１と横桟部３２を備えていれば任意の形態、例えば格子状としてもよい。
【００５６】
介装部材３０の素材は、手摺１００の外周面に対する摩擦力が大きい素材であることが好ましい。さらに好ましくは、カバー本体１１の内面１１ｂと同じ素材であるとよい。カバー本体１１の素材と介装部材３０の素材を同じ素材とすることにより、カバー本体１１と介装部材３０とを馴染みやすくすることができる。本実施形態の介装部材３０には、カバー本体１１の内面とは同じ素材であるクロロプレーン発泡材が採用されている。
【００５７】
−手摺カバーを手摺に取り付ける取付手順の説明−
以下、前述した手摺１００の縦手摺部１２１に、本実施形態の手摺カバー１０を取り付ける取付手順を説明する。なお、前述したとおり横手摺部１２２への取付手順は、縦手摺部１２１への取付手順と同様であるので、説明を省略する。
【００５８】
まず、縦手摺部１２１に介装部材３０を巻きつけ、その外側からカバー本体１１をあてがって介装部材３０を縦手摺部１２１に押さえ付けつつ、介装部材３０を包み込むようにカバー本体１１を縦手摺部１２１に巻き付ける。
【００５９】
次に、カバー本体１１の両側縁に設けられたファスナー１２によって、カバー本体１１の両側縁部同士を接合する。ファスナー１２のスライダーの移動により、カバー本体１１の両側縁部が徐々に接合されていき、これに伴って、カバー本体１１が介装部材３０と当接されていく。カバー本体１１の、介装部材３０の横桟部３２と当接する箇所は、介装部材３０の厚み分だけその外面１１ａが隆起されるので、カバー本体１１の外面１１ａに凹凸が形成される。
【００６０】
以上説明したとおり、本発明に係る手摺カバー１０は、カバー本体１１の外面１１ａに転写印刷された滑り止めパターン２０に加えて、さらに介装部材３０が設けられているので、従来技術の起毛による凹凸度よりもさらに凹凸度合いの大きい手摺カバーとすることができ、手摺１００と使用者の手との間の滑りをさらに防止することができる。
【００６１】
［第３実施形態］
次に本発明に係る手摺の他の実施形態について図５Ａから図７を参照しながら説明する。なお、本実施形態は、第２実施形態のものと比較して、滑り止めパターンを設けていない点と、カバー本体に介装部材が接着されている点が異なるだけであるから、以下、その相違点についてのみ説明し、同一の構成要素については、同一符号を付してその説明を省略する。
【００６２】
図５Ａは、第３実施形態に係るカバー本体の背面図、図５Ｂは、図５Ａに示すV−V線に沿う断面図、図６は、第３実施形態に係る手摺カバーを手摺に取り付けた状態を説明する一部断面図、図７は、カバー本体の変形例を示す背面図である。
【００６３】
−手摺カバーの説明−
本実施形態に係る手摺カバー１０は、手摺１００の外周面に着脱可能に装着される手摺カバー１０であって、カバー本体１１と、接合手段１２と、介装部材３０と、を備えたものである。
【００６４】
カバー本体１１の内面１１ｂには、介装部材３０が複数箇所に亘って接着されている。本実施形態の介装部材３０は、カバー本体１１の短辺の長さと同程度の矩形状とし、カバー本体１１の長辺に沿う方向に等間隔で形成されている。なお、介装部材３０の形状は、矩形状に限られず、円形状、多角形状であってもよい。つまり、手摺カバー１０を前述した手摺１００に取り付けたときに、カバー本体１１の外面１１ａに凹凸が形成されれば、どのような形状であってもよい。また、介装部材３０がカバー本体１１の長辺に沿う方向に不均等に形成されていてもよい。また、第１実施形態及び第２実施形態と同様に介装部材３０の縦桟部３１及び横桟部３２が接着されていてもよい。
【００６５】
カバー本体１１の外面１１ａは、本実施形態では滑り止めパターン２０が転写印刷されていないが、この形態に限られず、第１実施形態及び第２実施形態と同様に滑り止めパターン２０が転写印刷されていてもよい。
【００６６】
接合手段１２は、本実施形態ではファスナーが採用されているが、本実施形態の変形例として、接合手段１２に面ファスナーを用いても良い（図７参照）。図示例では、カバー本体１１の内面１１ｂ側の紙面左側側縁部と、カバー本体１１外面１１ａ側の紙面右側側縁部に、それぞれ面ファスナー１２が設けられている。よって、カバー本体１１を手摺１００に巻き付けて、カバー本体１１の両側縁部の面ファスナー１２同士を重ねるだけでカバー本体１１の両側縁部同士を接合することができるので、取り付けが容易である。また、さらに他の変形例として、接合手段にボタンを採用しても良い。これら接合手段の変形例は、第１実施形態及び第２実施形態の接合手段に用いてもよい。
【００６７】
−手摺カバーを手摺に取り付ける取付手順の説明−
以下、前述した手摺１００の縦手摺部１２１に、本実施形態の手摺カバー１０を取り付ける取付手順を説明する。なお、前述したとおり横手摺部１２２への取付手順は、縦手摺部１２１への取付手順と同様であるので、説明を省略する。
【００６８】
まず、縦手摺部１２１にカバー本体１１を巻き付け、次に、カバー本体１１の両側縁に設けられたファスナー１２によって、カバー本体１１の両側縁部同士を接合する。ファスナー１２のスライダーの移動により、カバー本体１１の両側縁部が徐々に接合されていき、これに伴って、カバー本体１１内面１１ｂの介装部材３０が縦手摺部１２１と当接されていく。介装部材３０と縦手摺部１２１が当接された箇所は、介装部材３０の厚み分だけカバー本体１１の外面１１ａが隆起されるので、カバー本体１１の外面１１ａに凹凸が形成される。この外面１１ａに形成された凹凸により、手摺１００と使用者の手との間の滑りを防止する。
【００６９】
以上説明したとおり、本発明に係る手摺カバー１０は、介装部材３０がカバー本体１１の内面１１ｂに一体として接着されているので、個別に介装部材３０を手摺１００に取り付ける必要がなく、カバー本体１１及び介装部材３０を手摺１００に容易に装着することができる。
【００７０】
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００７１】
例えば、介装部材３０は、上記の例のようにカバー本体１１の内面１１ｂの全域に設ける必要はなく、カバー本体１１の中央部だけに設けたり、或いは、カバー本体１１の両端部寄りだけに設けたり、或いは、カバー本体１１のいずれか一端部寄りだけに設けたりしてもよい。
【符号の説明】
【００７２】
１０   手摺カバー
１１   カバー本体
１１ａ 外面
１１ｂ 内面
１２   接合手段
２０   滑り止めパターン
３０   介装部材
１００ 手摺
１１０ ベース部材
１１１ 嵌合支持筒
１２０ 手摺本体
１２１ 縦手摺部
１２２ 横手摺部
１３０ 天井当接部材
１３１ 伸縮機構
【図１Ａ】
2015163749.tif 000003
【図１Ｂ】
2015163749.tif 000004
【図１Ｃ】
2015163749.tif 000005
【図２】
2015163749.tif 000006
【図３Ａ】
2015163749.tif 000007
【図３Ｂ】
2015163749.tif 000008
【図４】
2015163749.tif 000009
【図５Ａ】
2015163749.tif 000010
【図５Ｂ】
2015163749.tif 000011
【図６】
2015163749.tif 000012
【図７】
2015163749.tif 000013
【図８】
2015163749.tif 000014